(57)【特許請求の範囲】
【請求項１】
券を発行する発券端末と、券を購入するために購入者によりマークが記入されるマークシートを扱う決済端末と、発券の情報を管理するコンピュータを有する発券システムにおいて、
該決済端末は、該マークシートによる購入可能金額を認識して該コンピュータに送信する手段と、該コンピュータで管理されるＩＤをマークシートに印字する印字手段とを有し、
該コンピュータは、該マークシートにＩＤを付与し、該マークシートによる受信した該購入可能金額と該ＩＤを関連付けて予め定義されたテーブルに記憶する記憶手段と、該マークシートに付与したＩＤを該決済端末へ送信する手段とを有し、
該発券端末は、該マークシートに付与されたＩＤ及び購入者により付されたマークを認識する認識手段と、該認識手段により認識された該ＩＤと記入された申し込み金額を該コンピュータへ送信する手段と、を有し、
該コンピュータは、受信した該ＩＤと申し込み金額と、該テーブルに管理されている該ＩＤに関連する購入可能金額とを照合し、照合の結果に応じて該発券端末に発券指示することを特徴とする発券システム。
【請求項２】
該コンピュータは、ＩＤ別購入可能金額管理テーブルを参照して該マークシートのＩＤをキーにして購入可能金額を取得し、該マークシートにて申し込んだ金額と照合し、照合の結果購入可能金額以内の場合、発券端末は表示部に申込内容を表示し、
該照合の結果購入可能金額を超える場合は、発券端末は該表示部にメッセージを表示し、購入者は操作部にて確認を行い、購入可能の場合は、くじ取扱部よりくじを発券することを特徴とする請求項１に記載のくじの発券システム。
【請求項３】
該発券端末において、該認識手段は、ＩＤがプレ印字されたマークシートのＩＤを読み取り、該発券端末は読み取ったＩＤをキーにして、該コンピュータで管理されている購入可能金額を取得することを特徴とする請求項１又は２の発券システム。
【請求項４】
該コンピュータは、自ら管理しているマークシートのＩＤ及び購入可能金額と、マークシートに記入された申し込み金額とを照合し、該照合の結果、申し込み金額が、管理されている金額を超えた場合には、超えた旨のメッセージを該発券端末へ送信し、該発券端末はそのメッセージを表示し、
該照合の結果、申し込み金額が、管理されている金額より少ない場合には、取引きを終了して、追加購入可能な旨のメッセージを該発券端末へ送信し、該発券端末はそのメッセージを表示することを特徴とする請求項１又は２の発券システム。
【請求項５】
券を発行する発券端末と、券を購入するために購入者によりマークが記入されるマークシートを扱う決済端末と、発券の情報を管理するコンピュータを有する発券システムにおける発券方法であって、
該決済端末は、該マークシートによる購入可能金額を認識して該コンピュータに送信するステップと、該コンピュータで管理されるＩＤをマークシートに印字するステップとを有し、
該コンピュータは、該マークシートにＩＤを付与し、該マークシートによる受信した該購入可能金額と該ＩＤを関連付けて予め定義されたテーブルに記憶する記憶ステップと、該マークシートに付与したＩＤを該決済端末へ送信するステップとを有し、
該発券端末は、該マークシートに付与されたＩＤ及び購入者により付されたマークを認識する認識ステップと、該認識ステップにより認識された該ＩＤと記入された申し込み金額を該コンピュータへ送信するステップと、を有し、
該コンピュータは、受信した該ＩＤと申し込み金額と、該テーブルに管理されている該ＩＤに関連する購入可能金額とを照合し、照合の結果に応じて該発券端末に発券指示することを特徴とする発券方法。
【発明の詳細な説明】
【技術分野】
【０００１】
本発明は、くじ等の発券システム及び方法に係り、特に発券情報をセンタで管理し、購入者が記入したマークシートの内容に従って発券端末から券を発行する発券システム及び方法に関する。
【背景技術】
【０００２】
くじや投票券等の券を購入する希望者が、予約機等の端末または汎用的な端末からインターネットを介してセンタに券の発行要求或いはその予約を行い、その結果、取得した引換券を街中にある店舗の窓口に持ち込み、くじの引き換えを行う券発行システムが知られている。
【０００３】
例えば、特許文献１（特開平７−２３０５６４号公報）には、券発行装置を予約機と発券機で構成し、購入者により記入されたマークシートの内容を予約機で読み取って表示部に表示し、購入者の確認操作に応答して、予約番号入りの投票予約券を印字して排出するとともに、予約番号および予約内容を発券機に送信し、購入者が、別途投票予約券をカウンタの店員に手渡して購入依頼することにより、店員は発券機に投票予約券の予約番号を入力し、発券機はその予約番号に一致した予約内容をセンタ装置に通信するとともに正規の投票券を印字して排出する券発行装置が開示されている。
【０００４】
また、特許文献２（特開２００２−２３６７７１号公報）には、購入希望者が、インターネットを介してセンタのホームページをアクセスして商品の購入指定を行なってその代金をクレジットカードで支払い、センタより送付される商品の引換券を受け取った購入者は、商品販売所の開店時間内にその引換券を持ち込み、購入した商品と引き換える商品販売システムが開示されている。
【０００５】
【特許文献１】特開平７−２３０５６４号公報
【特許文献２】特開２００２−２３６７７１号公報
【発明の開示】
【発明が解決しようとする課題】
【０００６】
然るに、特許文献１の技術では、まずマークシートを利用して引換券を発行する必要があり、購入者が引換券を店内のカウンタへ持っていき、くじと交換することで取引が成立することになるので、取引成立までの時間がかかる。また、引換券用の媒体及び印字部が必要となり、予約機や発券機の端末のサイズが大きくなる可能性がある。
【０００７】
また、特許文献２では、引換券を使用するため、すでに商品の代金を支払っているにもかかわらず、引換券の送付を待つ必要があり、商品の受け取りが可能な時間帯も販売所の開店時間内に限られるという問題がある。
【０００８】
本発明の目的は、券購入手続きにかかる時間を短縮し、かつ発券装置を小型化することにより店内の限られたスペースを有効に利用することができる発券システム及び方法を提供することにある。
【課題を解決するための手段】
【０００９】
上記目的を達成するために、本発明は、券を発行する発券端末と、券を購入するために購入者によりマークが記入されるマークシートを扱う決済端末と、発券の情報を管理するコンピュータを有する発券システム又は発券方法であって、決済端末は、マークシートによる購入可能金額を認識してコンピュータに送信する手段（ステップ）と、コンピュータで管理されるＩＤをマークシートに印字する手段（ステップ）とを有し、コンピュータは、マークシートにＩＤを付与し、マークシートによる受信した購入可能金額とＩＤを関連付けて予め定義されたテーブルに記憶する記憶手段（ステップ）と、マークシートに付与したＩＤを決済端末へ送信する手段（ステップ）とを有し、発券端末は、マークシートに付与されたＩＤ及び購入者により付されたマークを認識する認識手段（ステップ）と、認識手段（ステップ）により認識されたＩＤと記入された申し込み金額をコンピュータへ送信する手段（ステップ）と、を有し、コンピュータは、受信したＩＤと申し込み金額と、テーブルに管理されているＩＤに関連する購入可能金額とを照合し、照合の結果に応じて発券端末に発券指示する発券システムまたは方法として構成したものである。
【発明の効果】
【００１０】
本発明によれば、購入者は、マークシートを取得する時点で所定の金額を支払うため、券購入手続きの開始（取引開始）から購入者のくじ取得（取引成立）までの時間が短縮できると共に、引換券用の媒体や印字部を不要とすることができる。また、マークシートＩＤと購入可能金額を中央のコンピュータで管理することにより、誤った販売を防ぐことができる。
【発明を実施するための最良の形態】
【００１１】
以下、本発明をくじ販売システムに適用した場合の実施例について、図面を用いて詳細に説明する。
このくじ販売システムは、コンビニ等の一般店舗に決済端末としてのＰＯＳレジと、くじを発行する発券端末を有し、これらの装置とネットワークを介して接続された中央コンピュータ例えばＰＯＳセンタで発券情報を管理する形態であり、購入はマークシート５を利用して行なうことを前提としている。
【００１２】
図１は、くじ販売システムにおける取引の概要を示す。
まず、購入者６は、店内カウンタ１においてマークシート５を申し込む。店員４からマークシート５を受け取り、そのマークシート５に購入を希望する内容を記入して店員４に渡す。店員４は決済端末７にてマークシート５を読み取らせる（Ｓ１）。読取られたマークシート５の内容である購入可能金額は決済端末７からＰＯＳセンタ８へ送信される（Ｓ２）。ＰＯＳセンタ８では、購入金額及びマークシートの識別情報（ＩＤ）を管理しており、要求のあったマークシートに対して未使用のマークシートＩＤを割り当て、そのマークシートＩＤを決済端末７へ送信する（Ｓ３）。決済端末７は受信したマークシートＩＤを印字する。店員は発券のための管理情報が印字されたマークシート５を購入者に渡し、販売を終わる（Ｓ４）。
【００１３】
続いて、発券動作に移る。購入者６は、取得したマークシート５を発券端末３に挿入し、発券操作を行なう（Ｓ５）。すると、発券端末３はＰＯＳセンタ８との間で通信を行う。ＰＯＳセンタ８は、受信したマークシートＩＤをキーにして、ＩＤ別購入可能金額管理テーブル２０（図３）に記憶しているマークシート５の購入可能金額２２と、購入者６がマークシート５にて申し込んだ金額とのチェックを行い、その結果に対応した申込内容またはメッセージを発券端末３へ送信する。発券端末３では、購入者６は確認操作を行い購入可能の場合、くじ２を発券する（Ｓ７）。以上が、発券のための一連の動作である。
【００１４】
次に、図２を参照して、発券側の端末及びＰＯＳセンタを含むくじ販売システムの構成について詳細に説明する。
決済端末７は、一例ではＰＯＳレジであり、ＰＯＳ端末が持つ機能や構成を有する。マークシート取扱部９は、マークシート５を光学的に読取る読取部、及び店員が入力操作を行なう入力部、入出力される情報を表示する表示部、及びマークシートに印字を施す印字部、及び必要に応じてマークシートにパンチ穴を開けるパンチ機構を備えている。さらに、マーシート取扱部９を制御し、また発券のため情報処理を行なう制御部１１、及びＰＯＳセンタ８との間で発券情報を含む種々の情報の送受信を行なうセンタ通信部１０を有する。
【００１５】
本実施例で取り扱われるマークシートの例を図５、図６に示す。
マークシート５は、例えば金額的にはテレフォンカードのようなものであり、２０００円シート、５０００円シート、１００００円シートのような複数種のシートが予め準備される。購入者は希望する金額のものを購入し、１単位２００円のくじを購入するために、それぞれ３桁のくじ番号を記入する（即ち０〜９までの数字にマークする）。図５、６の例は、２０００円のマークシートである。何れのマークシート５もＰＯＳセンタ８で管理しているマークシートＩＤを受信して、印字する部分（マークシートＩＤ欄）２１、購入選択のマークを記入する選択欄２２、くじ番号のマークを記入する数字欄２３、継続回数を記入する継続回数欄２４、口数欄２５、及び購入可能金額（即ち残金）を示す残金額欄２６を有している。図５のマークシート５は、残金２５を印字で形成する例であり、図６のものは残金２６をパンチ穴で表す例である。欄２２〜２５は、購入者が自由に選択してマークする。マークシートＩＤ欄２１と残金額欄２６は、センタで管理或いは処理された結果が印字又はパンチ穴として形成される。
【００１６】
さて、図２に戻って、発券端末３は、マークシート取扱部１３、表示部１４、くじ取扱部１５、入力部１６、センタ通信部１７、及びこれら各部を制御する制御部１２を有している。マークシート取扱部１３はマークシート５に記入された情報を光学的に読取る読取部を有する。表示部１４は購入者に対して発券のために種々の情報を表示する。くじ取扱部１５はくじを発券する機構であり、印字部を備えている。入力部１６は発券のために購入者が操作して情報を入力する。センタ通信部１７はネットワークを介してＰＯＳセンタ８との間で情報の送受信を行なう。制御部１２はプロセッサを備え、各部を制御すると共に、くじの発券に関する情報の処理を行う。
【００１７】
図７は、くじ２の一例を示す。
くじ２には、くじ番号の他に、購入者に知らせるべき情報が印字されて発行される。この例は、購入者が２００円単位のくじを1口ずつ５種類購入し、それらのくじ番号が記入された例である。
【００１８】
図２において、ＰＯＳセンタ８は、発券のための情報処理や発券情報を管理するための制御部１９としてのコンピュータ、及び発券情報を記憶する大容量の記憶装置として記憶部１８を有する。ここで、特徴的なことは、ＰＯＳセンタ８は発券情報を管理するためのテーブルを記憶部１８に保持する。このテーブルには、ＩＤ別購入可能金額管理テーブル２０及びＩＤ付加情報テーブル２３がある。
【００１９】
図３に示すように、ＩＤ別購入可能金額管理テーブル２０は、購入金額を管理するテーブルであり、マークシートＩＤ２１に対応して、その購入可能金額２２を保持する。
また、図４に示すように、ＩＤ付加情報テーブル２３は、マークシートＩＤ２１が使用されたか否かを管理するテーブルであり、マークシートＩＤ２１に対応して使用可否のフラグ２３を登録する。
【００２０】
次に、図８〜図１１の取引フローを参照して発券処理の全体的な動作について、説明する。
前提として、購入者はマークシート５を購入して、図５の示すように、くじの購入に必要なマークを記入済みであるとする。また、ＰＯＳセンタ８では、ＩＤ別購入可能金額管理テーブル２０に、このマークシート５のマークシートＩＤ２１が登録されていると共に、ＩＤ付加情報テーブル２３に購入可能金額２２が登録されているものとする。
【００２１】
図８の取引フローにおいて、発券端末３は、購入者６が挿入したマークシート５を読み取り（Ｓ１）、マークシートＩＤ２１及びマークシート５の申込金額をＰＯＳセンタ８へ送信する（Ｓ２）。ＰＯＳセンタ８では、マークシートＩＤ２１をキーにして購入可能金額２２を管理しているＩＤ別購入可能金額管理テーブル２０を参照して（ステップ３）、受信したマークシート５のＩＤと申込金額とを照合する（Ｓ４）。照合の結果、一致するかどうか（Ｓ５）、または、不一致の場合、購入可能かどうかを判断する（Ｓ６）。
Ｓ５の金額チェックの結果、ＰＯＳセンタ８で管理する購入可能金額２２とマークシート５の申込金額が一致した場合、図９のフローに移る。
【００２２】
図９において、発券端末３は、表示部１４に申込内容を表示し（Ｓ７）、購入者６が購入者操作部１６にて「確認」ボタンを押下すると（Ｓ８）、くじ取扱部１５にてくじ２を発券する（Ｓ９）。この時、マークシート５には、印字またはパンチ穴の形成により購入可能金額が「０」の表示をして（すなわち無効にして）、返却する（Ｓ１０）。その後、ＰＯＳセンタ８にマークシート５のデータを送信し（Ｓ１１）、ＰＯＳセンタ８が管理するＩＤ別購入可能金額管理テーブル２０及びＩＤ付加情報テーブル２３を更新し（Ｓ１２）、その結果を発券端末３へ送信する。
発券端末３は、更新結果をＰＯＳセンタ８より受信する（Ｓ１３）。この場合は購入可能金額が「０」となるため、当該マークシートＩＤ２１及び購入可能金額２２をＩＤ別購入可能金額管理テーブル２０より削除し、ＩＤ付加情報テーブル２３にて管理している当該マークシートＩＤ２１の使用可否情報２４を「使用可」に更新する。
【００２３】
ステップＳ６における金額チェックの結果、ＰＯＳセンタ８で管理する購入可能金額２２よりマークシート５の申込金額が少なかった場合、つまり、金額は不一致であるが購入可能であるとＰＯＳセンタ８が判断した場合には、図１０のフローに移る。
【００２４】
図１０において、発券端末３は、表示部１４に申込内容を表示する（Ｓ１４）。購入者６が購入者操作部１６にて「確認」ボタンを押下すると（Ｓ１５）、くじ取扱部１５にてくじ２を発券する（Ｓ１６）。そして、残った購入可能金額２２を、マークシート５の残金欄２５に印字した後、そのマークシート５を返却する（Ｓ１７）。
【００２５】
その後、ＰＯＳセンタ８が管理するＩＤ別購入可能金額管理テーブル２０を更新するため、ＰＯＳセンタ８にマークシート５のデータを送信する（Ｓ１８）。ＰＯＳセンタ８はＩＤ別購入可能金額管理テーブル２０を更新し（Ｓ１９）、その更新結果を発券端末３へ送信する。
発券端末３では、その更新結果を受信し（Ｓ２０）、それを表示部１４に表示する。その表示画面例を図１２に示す。例示された画面では、続けて購入可能である旨を知らせるメッセージ２７を表示し（Ｓ２１）、購入者がマークシート５を挿入すると、図８のＳ１より処理を開始し、先に説明した動作を同様の動作を繰り返す。一方、購入者がマークシート５を挿入しない場合は、購入者６は「終了」ボタン２８を押下することにより処理を終了する（Ｓ２２）。
【００２６】
ステップＳ６における金額チェックの結果、マークシート５の申込金額がＰＯＳセンタ８で管理するＩＤ別購入可能金額管理テーブル２０の購入可能金額２２を超えた場合、つまり、金額が不一致で、購入可能でないとＰＯＳセンタ８が判断した場合には、図１１のフローに移る。
【００２７】
図１１において、発券端末３は、図１３に示す画面を表示部１４に表示し、申込金額が購入可能金額２２を超えている旨を知らせるメッセージ２９を表示する（Ｓ２３）。そしてマークシート５を返却し（Ｓ２４）、購入者６が「確認」ボタン３０を押下することにより処理を終了する。
【図面の簡単な説明】
【００２８】
【図１】一実施例におけるくじ販売システムにおける取引の概要を示す図。
【図２】一実施例におけるくじ販売システムの構成を示す図。
【図３】一実施例におけるマークシートＩＤと購入可能金額を管理するためのＩＤ別購入可能金額管理テーブル２０を示す図。
【図４】一実施例におけるマークシートにＩＤを付加するためのＩＤ付加情報テーブル２３を示す図。
【図５】一実施例におけるマークシートの例を示す図。
【図６】一実施例におけるマークシートの例を示す図。
【図７】一実施例におけるくじ２の一例を示す図。
【図８】一実施例におけるくじ販売システムにおける取引フローの詳細を示す図。
【図９】一実施例におけるくじ販売システムにおける取引フローの詳細を示す図。
【図１０】一実施例におけるくじ販売システムにおける取引フローの詳細を示す図。
【図１１】一実施例におけるくじ販売システムにおける取引フローの詳細を示す図。
【図１２】一実施例における発券取引後、購入可能金額が残っている場合に表示する画面例を示す図。
【図１３】一実施例における挿入されたマークシートの申込金額が購入可能金額を超えている場合に表示する画面例を示す図。
【符号の説明】
【００２９】
１：店内カウンタ、２：くじ、３：発券端末、４：店員、５：マークシート、６：購入者、７：決済端末、８：ＰＯＳセンタ、９：マークシート取扱部、１０：センタ通信部、１１：制御部、１２：制御部、１３：マークシート取扱部、１４：表示部、１５：くじ取扱部、１６：購入者操作部、１７：センタ通信部、１８：記憶部、１９：制御部、２０：ＩＤ別購入可能金額管理テーブル、２１：マークシートＩＤ、２２：購入可能金額、２３：ＩＤ付加情報テーブル、２４：ＩＤ使用可否情報、
【図１】
0004791190.tif 000002
【図２】
0004791190.tif 000003
【図３】
0004791190.tif 000004
【図４】
0004791190.tif 000005
【図５】
0004791190.tif 000006
【図６】
0004791190.tif 000007
【図７】
0004791190.tif 000008
【図８】
0004791190.tif 000009
【図９】
0004791190.tif 000010
【図１０】
0004791190.tif 000011
【図１１】
0004791190.tif 000012
【図１２】
0004791190.tif 000013
【図１３】
0004791190.tif 000014